(57)【要約】【課題】記憶容量が小さい場合でもすべての原稿を読取およびプレビュー表示してから送信できる画像形成装置を提供する。【解決手段】上記課題を解決すべく、本発明の画像形成装置は記憶容量の空き容量に応じて読み取りを継続可能か判断し、読取継続できないと判断した場合に読み取りを一時停止するとともに保存した読取画像を表示する。また画像形成装置は表示した読取画像の少なくとも一部を外部装置へ送信し、送信した画像を記憶部から削除して読み取りを再開する。【選択図】図３
2015115716.tif 000002
【特許請求の範囲】
【請求項１】
原稿を読み取ってページごとの画像データを生成する読取手段と、
前記読取手段により読み取られた画像データをページごとに記憶する記憶手段と、
前記読取手段により所定ページ分の画像データを読取ると前記読取手段による原稿の読取りを中断し、前記記憶手段に記憶された所定ページ分の画像データを表示部に表示する表示制御手段と、
前記表示制御手段により表示部に表示された画像データに対する利用者の指示に応じて、前記記憶手段に記憶した画像データを接続する装置に出力し、該出力した画像データを前記記憶手段から削除する制御手段と、
前記中断された前記読取手段による原稿の読取りを再開する再開手段と
を有することを特徴とする画像読取装置。
【請求項２】
前記制御手段は、前記表示部に表示されたページのうちから、前記利用者の指示に応じて選択されたページを前記装置に出力せずに、前記記憶手段から削除することを特徴とする請求項１に記載の画像読取装置
【請求項３】
所定ページ分の画像データは、前記記憶手段のメモリサイズ以下であることを特徴とする請求項１に記載の画像読取装置。
【請求項４】
前記読取手段により読み取ったページが白紙ページであるか否かを判定する白紙判定手段を有し、
前記制御手段は、前記読取手段により読み取ったページが白紙ページでない限り、読み取った画像データを出力し、該画像データからサムネイルを生成して保存し、前記読取手段により読み取ったページが白紙ページである場合には、請求項１に記載の制御手段として動作することを特徴とする画像読取装置。
【請求項５】
原稿を読み取ってページごとの画像データを生成する読取手段と、
記憶手段と、
前記読取手段により読み取られた画像データをページごとに前記記憶手段に保存し、
前記読取手段により読み取ったページが白紙ページであるか否かを判定する白紙判定手段と、
前記白紙判定手段により前記読取手段により読み取ったページが白紙ページでないと判定された場合は、読み取った画像データを接続する装置に出力し、前記白紙判定手段により前記読取手段により読み取ったページが白紙ページであると判定された場合は、前記読取手段による原稿の読取りを中断し、該白紙ページを前記記憶手段に記憶し、該記憶した白紙ページの画像データを表示部に表示する表示制御手段と、
前記表示部に表示された白紙ページの画像データに対する利用者の指示に応じて、前記記憶手段に記憶した画像データを前記装置に出力するか否か決定する決定手段と
を有することを特徴とする画像読取装置。
【請求項６】
前記決定手段により、前記表示部に表示された白紙ページの画像データを前記装置に出力しないと決定された場合、前記白紙ページの画像データを前記装置に出力せずに前記記憶手段から削除することを特徴とする請求項５に記載の画像読取装置。
【請求項７】
前記決定手段により、前記記憶手段に記憶した画像データを接続する装置に出力するか否か決定した後、前記中断した前記読取手段による読取りを再開することを特徴とする請求項５に記載の画像読取装置。
【請求項８】
前記制御手段は、前記記憶手段に記憶した画像データを送信により出力することを特徴とする請求項１乃至７のいずれか一項に記載の画像読取装置。
【請求項９】
請求項１乃至８のいずれか一項に記載の画像読取装置と、前記制御部から出力された画像データを印刷する印刷手段とを有することを特徴とする画像形成装置。
【請求項１０】
原稿を読み取ってページごとの画像データを生成する読取工程と、
前記読取工程により読み取られた画像データをページごとに記憶手段に記憶する記憶工程と、
前記読取工程により所定ページ分の画像データを読取ると前記読取工程による原稿の読取りを中断し、前記記憶手段に記憶された所定ページ分の画像データを表示部に表示する表示制御工程と、
前記表示制御工程により表示部に表示された画像データに対する利用者の指示に応じて、前記記憶手段に記憶した画像データを接続する装置に出力し、該出力した画像データを前記記憶手段から削除する制御工程と、
前記中断された前記読取工程による原稿の読取りを再開する再開工程と
を有することを特徴とする画像読取装置の制御方法。
【請求項１１】
原稿を読み取ってページごとの画像データを生成する読取工程と、
前記読取工程により読み取られた画像データをページごとに記憶手段に保存し、
前記読取工程により読み取ったページが白紙ページであるか否かを判定する白紙判定工程と、
前記白紙判定工程により前記読取工程により読み取ったページが白紙ページでないと判定された場合は、読み取った画像データを接続する装置に出力し、前記白紙判定工程により前記読取工程により読み取ったページが白紙ページであると判定された場合は、前記読取工程による原稿の読取りを中断し、該白紙ページを前記記憶手段に記憶し、該記憶した白紙ページの画像データを表示部に表示する表示制御工程と、
前記表示部に表示された白紙ページの画像データに対する利用者の指示に応じて、前記記憶手段に記憶した画像データを前記装置に出力するか否か決定する決定工程と
を有することを特徴とする画像読取装置の制御方法。
【発明の詳細な説明】
【技術分野】
【０００１】
本発明は、原稿画像を読み取る画像読取装置およびその制御方法に関する。
【背景技術】
【０００２】
画像スキャナ等を有する画像形成装置において、読み取った画像（読取画像）を外部送信または印刷する場合、実行前にユーザが画像を確認するために読取画像のプレビュー表示を行う技術がある。特に特許文献１のように読取画像の白紙判定機能を有する画像形成装置では白紙判定の結果がユーザの意図に合っているか確認するためプレビュー表示の実施が重要になる。
【０００３】
画像形成装置は通常、読取動作と外部送信または印刷を並行して行い、出力が済んだ読取画像を順次削除していく逐次送信／逐次動作をする。一方、プレビュー表示を行う場合は外部送信や印刷実行前の読取画像を保存する蓄積送信／蓄積動作をし、蓄積した画像を出力前に表示する。そのため画像蓄積のために記憶領域の容量を確保する必要がある。読取動作と記憶容量の制御に関して、例えば特許文献２では出力ファイルサイズと保存先の空き容量を比較して読取を中断および再開する技術が開示されている。
【先行技術文献】
【特許文献】
【０００４】
【特許文献１】特開２０１０−０１６７７０号公報
【特許文献２】特開２００７−０９６９３１号公報
【発明の概要】
【発明が解決しようとする課題】
【０００５】
画像形成装置に読取画像を保存する記憶容量には制限があり、読取枚数や各画像のデータサイズによって記憶容量が不足する場合はプレビュー表示することができない。そのためHDDなど大容量ストレージを搭載しない画像形成装置では記憶容量が小さくプレビュー表示できないケースが多発する。プレビュー表示ができないと、読取画像の白紙判定などを実施した場合に意図しない出力を見落とすという課題がある。
【０００６】
しかしながら前記従来技術では読取画像に対して記憶容量が不足した場合のプレビュー表示の制御について記載されていない。本発明は上記課題を鑑みて、読み取り動作とプレビュー表示とを継続して制御できる画像形成装置を提供する。
【課題を解決するための手段】
【０００７】
上記課題を解決すべく、本発明の画像読取装置は、以下の構成を有する。
【０００８】
原稿を読み取ってページごとの画像データを生成する読取手段と、
前記読取手段により読み取られた画像データをページごとに記憶する記憶手段と、
前記読取手段により所定ページ分の画像データを読取ると前記読取手段による原稿の読取りを中断し、前記記憶手段に記憶された所定ページの画像データを表示部に表示する表示制御手段と、
前記表示制御手段により表示部に表示された画像データに対する利用者の指示に応じて、前記記憶手段に記憶した画像データを接続する装置に出力し、該出力した画像データを前記記憶手段から削除する制御手段と、
前記中断された前記読取手段による原稿の読取りを再開する再開手段とを有することを特徴とする画像読取装置。
【０００９】
あるいは他の側面によれば本発明階下の構成を有する。
【００１０】
原稿を読み取ってページごとの画像データを生成する読取手段と、
記憶手段と、
前記読取手段により読み取られた画像データをページごとに前記記憶手段に保存し、
前記読取手段により読み取ったページが白紙ページであるか否かを判定する白紙判定手段と、
前記白紙判定手段により前記読取手段により読み取ったページが白紙ページでないと判定された場合は、読み取った画像データを接続する装置に出力し、前記白紙判定手段により前記読取手段により読み取ったページが白紙ページであると判定された場合は、前記読取手段による原稿の読取りを中断し、該白紙ページを前記記憶手段に記憶し、該記憶した白紙ページの画像データを表示部に表示する表示制御手段と、
前記表示部に表示された白紙ページの画像データに対する利用者の指示に応じて、前記記憶手段に記憶した画像データを前記装置に出力するか否か決定する決定手段と
を有することを特徴とする画像読取装置。
【発明の効果】
【００１１】
本発明によれば、画像読取装置が読み取った一つの文書の全ページの画像を蓄積できない場合でも、出力前にプレビュー画像を表示することができる。 
【図面の簡単な説明】
【００１２】
【図１】ハードウェア構成の図
【図２Ａ】（ａ）読取画像のメモリフル発生を示す図、（ｂ）メモリフル時のプレビュー表示を示す図
【図２Ｂ】（ｃ）メモリフル時の読取動作再開を示す図、（ｄ）読取終了時のプレビュー表示を示す図
【図３】メモリフルに応じてプレビュー表示するフローチャート
【図４】記憶容量の空き容量に応じて読取再開するフローチャート
【図５】読取枚数に応じてプレビュー表示するフローチャート
【図６Ａ】（ａ）白紙ページ以前を逐次送信する場合の読取画像のメモリフル発生を示す図、（ｂ）白紙ページ以前を逐次送信する場合のメモリフル時のプレビュー表示を示す図
【図６Ｂ】（ｃ）白紙ページ以前を逐次送信する場合のメモリフル時の読取動作再開を示す図、（ｄ）白紙ページ以前を逐次送信する場合の読取終了時のプレビュー表示を示す図
【図７】白紙検知処理を行いつつプレビュー表示するフローチャート
【発明を実施するための形態】
【００１３】
［実施形態１］
＜画像形成装置の構成＞
以下、本発明を実施するための形態について図面を用いて説明する。本実施形態の画像読取装置はデータを記憶する記憶部としてＲＡＭ等の揮発性メモリを有し、記憶部の記憶容量が不足することをメモリフルと表記する。本実施形態では画像読取装置が読取画像を外部装置に送信する送信機能を例に説明する。ただし本発明は送信機能に限定されず印刷機能などその他画像データを出力する画像形成装置（いわゆる複合機（ＭＦＰ））などの場合にも適用可能である。図１は画像形成装置のハードウェア構成を示す。ただし、外部装置接続部１０２と印刷部１０４とはいずれか一方を備えていればよく、印刷部１０４が備えられていない場合、画像形成装置１０１は画像読取装置と呼ばれる。
【００１４】
画像形成装置１０１は外部装置接続部１０２を持ち、ＬＡＮやＵＳＢや電話回線接続によって外部装置と通信し、画像データ等の送受信を行う。画像形成装置１０１は画像変換部１０３を持ち、外部装置接続部１０２または読取部１０５で取得した画像データに色空間変換や色濃度など所定の画像処理を行って画像データを生成する。画像形成装置１０１は印刷部１０４を持ち、画像変換部１０３で生成した画像データを紙媒体に印字する。画像形成装置１０１は読取部１０５を持ち、読取部１０５は紙媒体などに印字された画像を光学センサで読み取ってページ単位の画像データを生成し、画像形成装置１０１に入力する。読取部１０５で入力された画像データは画像変換部１０３で所定の画像変換がなされ出力される。具体的には、画像データは外部装置接続部１０２から送信、もしくは印刷部１０４で印刷される。ここで、読み取られた画像データは記憶部１０９に一時保存される。画像形成装置１０１は操作部１０６を持ち、操作部１０６はキーや表示パネルなどのユーザインターフェースを有し、ユーザからの動作要求を受け付ける。また操作部１０６は外部装置接続部１０２または読取部１０５で取得した画像データ（例えば所定ページ分の画像データ）を表示パネル（表示部）に表示する。画像形成装置１０１は、ＣＰＵ１０７とＲＯＭ１０８と記憶部１０９を持つ。ＣＰＵ１０７は、画像形成装置１０１の制御部であり、装置全体を制御する。表示を制御する点において表示制御手段ということもできる。ＲＯＭ１０８は、ＣＰＵ１０７の制御プログラムを格納するためのものである。記憶部１０９はＣＰＵ１０７の制御プログラムの変数や画像データを格納する揮発性メモリである。
【００１５】
＜読み取り時の動作例＞
図２Ａ及び図２Ｂの（ａ）〜（ｄ）は読取画像の送信機能におけるメモリフル時の読取とプレビュー表示の動作を示す。画像形成装置２０１は図１の画像形成装置１０１を示し、操作部２０６は図１の操作部１０６を示す。
【００１６】
図２Ａ（ａ）は読取画像のメモリフル発生を示す。画像形成装置２０１は原稿２０２を読取部１０５で読み取り、読取画像を記憶部１０９に保存して、保存した読取画像を外部装置接続部１０２から外部装置２０３へ送信する。画像形成装置２０１は原稿２０２の各ページを順に読み取り、読み取った送信前画像２０４を記憶部１０９に保存する。ここで画像形成装置２０１は次ページ画像２０５を保存する容量が不足してメモリフルが発生すると読み取りを中断する。すなわち、記憶される画像データは、メモリサイズ以下のデータ量である。
【００１７】
図２Ａ（ｂ）はメモリフル時のプレビュー表示を示す。メモリフルが発生した画像形成装置２０１は、メモリフルとなるまでに保存した送信前画像２０４のサムネイル画像２０７を画像変換部１０３で作成して、操作部２０６の表示パネルに表示する。また画像形成装置２０１はメッセージ２０８を操作部２０６の表示パネルに表示して、メモリフル発生の通知およびサムネイル画像２０７に対する操作ボタンの提供をする。例えば操作ボタンとしてサムネイル画像２０７を外部装置２０３へ送信する操作、外部装置２０３への送信を中止する操作、サムネイル画像２０７から送信対象のページを選択するなど編集する操作を提供する。
【００１８】
図２Ｂ（ｃ）はメモリフル時の読取動作再開を示す。メッセージ２０８で送信の操作が指示された場合、画像形成装置２０１は送信前画像２０４を外部装置２０３へ送信してから記憶部１０９から削除する。送信済画像２０９は削除した画像を示す。次に画像形成装置２０１は読み取りを再開して原稿２０２の続きのページを順に読み取り、送信前画像２１０を記憶部１０９に保存して読み取りを終了する。
【００１９】
図２Ｂ（ｄ）は読取終了時のプレビュー表示を示す。読み取りが終了した画像形成装置２０１は送信前画像２１０のサムネイル画像２１１を画像変換部１０３で作成して、操作部２０６の表示パネルに表示する。また画像形成装置２０１はメッセージ２１２を操作部２０６の表示パネルに表示して、読取終了の通知およびサムネイル画像２１１に対する操作ボタンを提供する。例えば操作ボタンはメッセージ２０８と同様に送信、中止、編集を提供する。
【００２０】
＜読み取り処理手順＞
以下に示す図３〜図５は、本実施形態を実現する不図示の制御プログラムにより実現される手順であり、この制御プログラムはＲＯＭ１０８に格納されており、記憶部１０９にロードされて、ＣＰＵ１０７によって実行されるものである。
【００２１】
図３は本実施形態の基本フローであり、メモリフルの発生に応じてプレビュー表示するフローチャートを示す。なお、プレビュー表示しない場合には、読み取った画像データを一時保存しつつ、並行して出力する。
【００２２】
ＣＰＵ１０７は読取部１０５から原稿を１ページ読み取り（Ｓ３０１）、読取画像を記憶部１０９へ保存する（Ｓ３０２）。ＣＰＵ１０７は原稿の次ページがあるか否かを判断し（Ｓ３０３）、次ページがある場合、読取画像を保存する十分なメモリ空き容量が記憶部１０９にあるか否かを判断する（Ｓ３０４）。十分な空き容量がある場合、ＣＰＵ１０７はＳ３０１へ戻り読み取りを継続する。十分な空き容量がない場合もしくは読み取るべき次ページがない場合、ＣＰＵ１０７は送信前の読取画像を操作部１０６の表示パネルにプレビュー表示し（Ｓ３０５）、表示した画像に対する操作指示を待つ（Ｓ３０６）。送信指示がされた場合、ＣＰＵ１０７は対象の画像を外部装置接続部１０２から外部装置へ送信し記憶部１０９から削除し（Ｓ３０７）、原稿の次ページがあるか否かを判断する（Ｓ３０９）。次ページがある場合、画像形成装置はＳ３０１に戻り読み取りを継続し、次ページがない場合は処理を終了する。中止指示がされた場合、ＣＰＵ１０７は記憶部１０９から画像を削除して処理を終了する。編集指示がされた場合、ＣＰＵ１０７はプレビュー表示している画像から送信対象の選択指示を受付け、選択されていないページを記憶部１０９および操作部１０６のプレビュー表示から削除する（Ｓ３０８）。なお複数のページの選択を許すため、削除のタイミングは、例えば選択の確定ボタンなどが押下されたときとする。白紙ページの出力を抑制したい場合には、編集操作により白紙ページを削除することで出力を抑制できる。逆に、削除するページを選択させてもよい。
【００２３】
図４は図３のフローチャートに対して記憶部１０９の空き容量に応じて読み取りを再開する制御を追加したフローチャートである。Ｓ４０１〜Ｓ４０６、Ｓ４０８は図３のＳ３０１〜Ｓ３０６、Ｓ３０８と同様である。送信指示がされるとＣＰＵ１０７は送信前の読取画像の先頭ページを外部装置接続部１０２から外部装置へ送信し記憶部１０９から削除して（Ｓ４０７）、次ページの読取画像を保存するメモリ空き容量が記憶部１０９にあるか否かを判断する（Ｓ４０９）。ＣＰＵ１０７は空き容量がない場合はＳ４０７へ戻り、空き容量がある場合は残りの読取画像の送信および削除を継続するとともに（Ｓ４１０）、次ページの原稿があるか否かを判断して（Ｓ４１１）次ページがある場合はＳ４０１へ戻り読み取りを継続する。なおステップＳ４１０は説明のための疑似的な工程であって、何の処理も行わなくともよい。次ページがない場合ＣＰＵ１０７は読取画像の送信（Ｓ４１０）の終了とともに処理を終了する。このようにして、１ページずつ記憶容量の空を確保して、画像を読み取る。
【００２４】
図５は図３のフローチャートに対して読み取りを中断するページ数（読取中断枚数）を設定してその数に応じてプレビュー表示を行う制御を追加したフローチャートである。この手順では、メモリに空きがあっても指定した枚数（ページ数）を読み込んだならプレビューを表示する。ＣＰＵ１０７はＲＯＭ１０８に記憶されている情報もしくは操作部１０６から入力される情報にしたがって読取中断枚数を決定する（Ｓ５０１）。Ｓ５０２、Ｓ５０３は図３のＳ３０１、Ｓ３０２と同様である。ＣＰＵ１０７は読み取った原稿枚数がＳ５０１で決定した読取中断枚数以上であるか否かを判断する（Ｓ５０４）。ＣＰＵ１０７は読取中断枚数より少ない場合は原稿の次ページがあるか否かを判断し（Ｓ５０５）、次ページがある場合は次ページの読取画像を保存するメモリ空き容量が記憶部１０９にあるか否かを判断する（Ｓ５０６）。ＣＰＵ１０７は空き容量がある場合はＳ５０２へ戻り読み取りを継続し、空き容量がない場合は送信前の読取画像を操作部１０６の表示パネルにプレビュー表示する（Ｓ５０７）。Ｓ５０７〜Ｓ５１１は図３のＳ３０５〜Ｓ３０９と同様である。
【００２５】
以上の手順により、本実施形態によれは、メモリ容量に応じて読み取ったページのプレビュー表示を行うことができ、少なくとも１ページ分の画像データの記憶容量があればプレビューを表示して利用者に確認を促すことができる。
【００２６】
［第２実施形態］
図６Ａ、図６Ｂの（ａ）〜（ｄ）は図２Ａ、図２Ｂの（ａ）〜（ｄ）で示した読取画像の送信機能におけるメモリフル時の読み取りとプレビュー表示の動作に対して、白紙判定機能により検知した白紙ページより前のページを逐次送信する制御を追加した動作である。画像形成装置６０１は図１の画像形成装置１０１を示し、操作部６０７は図１の操作部１０６を示す。ここで画像形成装置６０１は読取部１０５に読み取ったページが白紙ページか否かを判定できる白紙判定機能を持つとする。また白紙とはページ内が下地色のみで構成されコンテンツを含まない原稿とする。
【００２７】
図６Ａ（ａ）は読取画像のメモリフル発生を示す。画像形成装置６０１は原稿６０２を読取部１０５から読み取り、読取画像を記憶部１０９に保存して、保存した読取画像を外部装置接続部１０２から外部装置６０３へ送信する。画像形成装置６０１は原稿６０２の各ページを順に読み取り、また白紙判定機能により白紙か否かを判定する。画像形成装置６０１は白紙判定される以前のページはページごとに読取画像を記憶部１０９に一時記憶し、１ページ分のデータが格納されるごとに外部装置６０３へ送信して、送信済みの画像データを削除する。この動作を逐次送信と呼ぶ。また画像形成装置６０１は逐次送信で記憶部１０９から読取画像を削除する場合、元の読取画像よりサイズの小さいサムネイル画像を作成し記憶部１０９に保存する。このサムネイル画像は図６Ａ（ｂ）で示すプレビュー表示で利用される。送信済画像６０４は逐次送信された読取画像およびそのサムネイル画像を示す。
【００２８】
画像形成装置６０１は白紙判定されたページおよびそれより後のページは図２Ａ（ａ）と同様に送信前画像６０５のページまで記憶部１０９に保存し、次ページ画像６０６を保存する容量が不足してメモリフルが発生したなら読み取りを中断する。ここで送信前画像６０５の先頭ページは白紙ページと判定された画像である。なお白紙ページの検知後は、メモリフルとなるまで、白紙判定を行う必要はない。
【００２９】
図６Ａ（ｂ）はメモリフル時のプレビュー表示を示す。メモリフルが発生した画像形成装置６０１は送信前画像６０５のサムネイル画像を画像変換部１０３で作成して、送信済画像６０４のサムネイル画像とともにサムネイル画像６０８として操作部６０７の表示パネルに表示する。また画像形成装置６０１はメッセージ６０９を操作部６０７の表示パネルに表示する。メッセージ６０９は図２Ａ（ｂ）のメッセージ２０８と同様である。
【００３０】
図６Ｂ（ｃ）はメモリフル時の読取動作再開を示す。メッセージ６０９で送信の操作が指示された場合、画像形成装置６０１は送信済画像６０４のサムネイル画像および送信前画像６０５を外部装置２０３へ送信した後記憶部１０９から削除する。送信済画像６１０は削除後の画像を示す。記憶部１０９から送信済み画像データを削除したなら、次に画像形成装置６０１は読み取りを再開して原稿６０２の続きのページを順に読み取りおよび白紙判定を行う。図６Ａ（ａ）と同様に、読み込んだページが白紙と判定されるまでのページは逐次送信し、サムネイル画像を作成して保存する。送信済画像６１１は逐次送信された読取画像およびサムネイル画像を示す。画像形成装置６０１は白紙と判定されたページおよびそれ以後のページは送信前画像６１２を記憶部１０９に保存して読み取りを終了する。送信前画像６１２の先頭のページは白紙と判定されたページである。
【００３１】
図６Ｂ（ｄ）は読取終了時のプレビュー表示を示す。読み取りが終了した画像形成装置６０１は送信前画像６１２のサムネイル画像を画像変換部１０３で作成して、送信済画像６１１のサムネイル画像とともにサムネイル画像６１３として操作部６０７の表示パネルに表示する。また画像形成装置６０１はメッセージ６１４を操作部２０６の表示パネルに表示する。メッセージ６１４は図２Ｂ（ｄ）のメッセージ２１２と同様である。
【００３２】
以上の実施例で説明したように、本実施例では記憶容量の小さい画像形成装置が原稿の読取画像を全ページ記憶部に蓄積できない場合でも出力前に読取画像を確認および編集でき、白紙判定結果がユーザの意図に合致しない場合でもユーザの意図どおりに出力が可能となる。
【００３３】
図７は本実施形態に係る画像形成装置による画像読み取りの制御手順を示すフローチャートである。図７において、ステップＳ３０１〜Ｓ３０９は図３と同様である。ただしステップＳ３０９の工程判定時の分岐先がステップＳ３０１ではなくステップＳ７０１であるという点で図３とは相違する。また、読み取り開始時にステップＳ３０１ではなくステップＳ７０１から開始される点においても相違する。また、図７では、ステップＳ３０５におけるプレビュー表示と、ステップＳ３０７におけるページの削除とにおいて、ステップＳ７０３で作成したサムネイルも対象とする点で図３と相違する。
【００３４】
さて、ＣＰＵ１０７は読取台に載置された原稿を１ページずつ読み取る（Ｓ７０１）。そして読み取ったページが白紙ページか否か判定する（Ｓ７０２）。白紙ページであればステップＳ３０２に分岐する。白紙ページでなければ読み取った画像データを一時保存してサムネイルを作成・保存し（Ｓ７０３）、それを指定された送信先に送信して、一次保存したページの画像データを逐次送信する（Ｓ７０４）。すなわち、送信後ただちに削除する。その後、次ページの原稿があるか判定し、あればステップＳ７０１へ分岐し、なければ処理は終了する。一方白紙ページの検知後は、図３とおなじ要領で処理が進む。
【００３５】
また、ステップＳ７０２にて白紙ページと判定されたページを、Ｓ３０２にてメモリ保存した後、原稿の読み取りを一時中断しメモリに保存し、この保存された画像をプレビューしてもよい。このとき、Ｓ３０６のようにこのプレビュー画像に対して、ユーザが処理を決定することができる。その後、中断していた読み取りを再開し、次ページ原稿があると判定された場合、次のページに対しても白紙ページか否か判定し、白紙と判定されなかった場合は、逐次送信してもよい。このように、白紙と判定されたページはメモリ保存し、白紙と判定されなかったページはＳ７０３に示すようにサムネイル作成・保存をして、読み取ったページを逐次送信してもよい。また白紙と判定されたページがあると、読み取りを一時中断し、白紙と判定されたページをメモリに保存して、Ｓ３０５にてプレビュー表示されてもよい。
【００３６】
本実施形態によれば、限られた記憶容量しかない場合であっても、白紙と判定されたページに対してはプレビュー表示を行ってから、接続する装置へ出力するか否か指示することができる。（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015115716.tif 000003
【図２Ａ】
2015115716.tif 000004
【図２Ｂ】
2015115716.tif 000005
【図３】
2015115716.tif 000006
【図４】
2015115716.tif 000007
【図５】
2015115716.tif 000008
【図６Ａ】
2015115716.tif 000009
【図６Ｂ】
2015115716.tif 000010
【図７】
2015115716.tif 000011